(57)【要約】【課題】より確実にカバーの除電を行うことのできる加熱送風装置を得る。【解決手段】加熱送風装置は、吸入口４ａから吐出口４ｂに至る送風流路４が設けられ、外郭を構成するハウジング３と、ハウジング３内に設けられ、第１電極５１および第２電極５２を有して放電によりイオンを発生するイオン発生部５０と、を備えている。そして、ハウジング３の内壁に当接して第２電極５２のハウジング３に対する相対移動を規制する規制部６０を形成した。【選択図】図９
2014108120.tif 000002
【特許請求の範囲】
【請求項１】
吸入口から吐出口に至る送風流路が設けられ、外郭を構成するハウジングと、
前記ハウジング内に設けられ、第１電極および第２電極を有して放電によりイオンを発生するイオン発生部と、
前記イオン発生部で発生されたイオンが流れるイオン流路と、
前記イオン流路の下流側に設けられ、前記イオンが放出されるイオン放出口と、
前記イオン放出口をカバーするとともに前記イオンが放出可能に構成されたカバーと、
前記カバーの内側に設けられ、前記カバーと前記第２電極とを電気的に接続する接続部と、
前記ハウジングの内壁に当接して前記第２電極の前記ハウジングに対する相対移動を規制する規制部と、
を備えることを特徴とする加熱送風装置。
【請求項２】
前記イオン発生部は、前記第２電極を保持する第１保持部を備えており、
前記規制部が前記第１保持部に設けられていることを特徴とする請求項１に記載の加熱送風装置。
【請求項３】
前記カバーは、前記ハウジングに形成された開口を覆うように当該ハウジングに取り付けられており、
前記カバーを前記ハウジングに取り付けた際に、前記カバーと前記第２電極とが前記接続部によって電気的に接続されるようになっており、
前記規制部は、前記第１保持部から前記カバーの前記ハウジングへの取り付け方向と交差する方向に突出する突片であり、
前記突片は、少なくとも前記カバーの前記ハウジングへの取り付け方向側の面が前記ハウジングの内壁に当接していることを特徴とする請求項２に記載の加熱送風装置。
【請求項４】
前記第２電極は、前記第１電極よりも前記イオン放出口側に配置されるとともに、当該第２電極には開口部が形成されており、
前記第２電極における前記開口部の周縁部が、前記第１電極の反対側に凸となるドーム状に形状されていることを特徴とする請求項１〜３のうちいずれか１項に記載の加熱送風装置。
【請求項５】
前記イオン発生部は、少なくとも前記第１電極を冷却する冷却部を備え、空気中の水分を前記冷却部により冷却された前記第１電極に結露させるとともに放電により静電霧化させるように構成されており、
前記イオン発生部の前記第１電極の基部側には、当該第１電極の周囲を覆うとともに前記結露された水分を保持可能な第２保持部が設けられていることを特徴とする請求項１〜４のうちいずれか１項に記載の加熱送風装置。
【発明の詳細な説明】
【技術分野】
【０００１】
本発明は、使用者の髪にイオンを供給する加熱送風装置に関するものである。
【背景技術】
【０００２】
従来、加熱送風装置として、第１および第２電極を有するイオン発生部を搭載したものが知られている（例えば特許文献１参照）。
【０００３】
この特許文献１では、第１電極と第２電極との間に高電圧を印加して放電を行うことでイオンを生成し、生成したイオンをカバーに形成されたイオン吹出口から吹き出すようになっている。そして、イオン吹出口から吹き出したイオンを髪にあてることで、髪ケア効果を高めている。
【０００４】
さらに、この特許文献１では、下流側に位置するイオン発生部を覆うカバーを加熱送風装置の内部に配置された内側部材に接続させることで、カバーの帯電を除去できるようにし、イオン放出口からのイオン放出の安定化を図っている。
【先行技術文献】
【特許文献】
【０００５】
【特許文献１】特開２００９−２６８５０２号公報
【発明の概要】
【発明が解決しようとする課題】
【０００６】
しかしながら、上記従来の構成では、加熱送風装置の内筒にイオン発生部の下部を取り付けるだけで、当該イオン発生部を加熱送風装置の内筒に取り付けている。
【０００７】
そのため、組み立て時のばらつき等により、イオン発生部が傾いて取り付けられてしまうおそれがある。
【０００８】
このように、イオン発生部が傾いた状態で取り付けられてしまうと、例えば、カバーの帯電除去のためにカバーの接続部をイオン発生部のグラウンド電極に接続する際に、カバーの接続部をグラウンド電極に十分に接続させることができず、カバーがイオン放出口から吐出されたイオンにより帯電してしまうおそれがある。
【０００９】
本発明は、上記従来の課題を解決するもので、より確実にカバーの除電を行うことが可能な加熱送風装置を提供することを目的とする。
【課題を解決するための手段】
【００１０】
上記従来の課題を解決するために、本発明の加熱送風装置は、吸入口から吐出口に至る送風流路が設けられ、外郭を構成するハウジングと、前記ハウジング内に設けられ、第１電極および第２電極を有して放電によりイオンを発生するイオン発生部と、前記イオン発生部で発生されたイオンが流れるイオン流路と、前記イオン流路の下流側に設けられ、前記イオンが放出されるイオン放出口とを備えている。
【００１１】
そして、前記イオン放出口をカバーするとともに前記イオンが放出可能に構成されたカバーと、前記カバーの内側に設けられ、前記カバーと前記第２電極とを電気的に接続する接続部と、前記ハウジングの内壁に当接して前記第２電極の前記ハウジングに対する相対移動を規制する規制部と、を備えたものである。
【００１２】
これによって、組み立て時のばらつきを低減して、カバーの除電をより確実に行うことが可能となる。
【発明の効果】
【００１３】
本発明の加熱送風装置によれば、より確実にカバーの除電を行うことができるようになる。
【図面の簡単な説明】
【００１４】
【図１】本発明の実施の形態１における加熱送風装置の側面図である。
【図２】本発明の実施の形態１における加熱送風装置の斜視図である。
【図３】本発明の実施の形態１における加熱送風装置を吹出口側から見た正面図である。
【図４】本発明の実施の形態１における加熱送風装置を吸入口側から見た背面図である。
【図５】本発明の実施の形態１における加熱送風装置の断面図である。
【図６】本発明の実施の形態１における加熱送風装置の本体部内で金属微粒子生成部とミスト生成部が設けられる部分を示す平面図である。
【図７】本発明の実施の形態１における加熱送風装置のミスト生成部が設けられる部分を拡大して示す断面図である。
【図８】本発明の実施の形態１における加熱送風装置のミスト生成部が設けられる部分を拡大して示す平面図である。
【図９】本発明の実施の形態１における加熱送風装置のミスト生成部の電極部分を拡大して示す断面図である。
【図１０】本発明の実施の形態１における加熱送風装置のミスト生成部の電極部分を拡大して示す平面図である。
【図１１】本発明の実施の形態１におけるミスト生成部の斜視図である。
【図１２】本発明の実施の形態１におけるミスト生成部の正面図である。
【図１３】本発明の実施の形態１におけるミスト生成部の断面図である。
【図１４】本発明の実施の形態１におけるミスト生成部の第１電極と第２電極との関係を模式的に示す側面図である。
【図１５】本発明の実施の形態１におけるミスト生成部の第１電極を模式的に示す側面図である。
【図１６】本発明の実施の形態１における加熱送風装置を表示部側で切断した断面図である。
【図１７】本発明の実施の形態１における加熱送風装置の表示部を拡大して示す断面図である。
【図１８】本発明の実施の形態１における加熱送風装置の表示部を拡大して示す側面図である。
【図１９】本発明の実施の形態１における加熱送風装置の表示部の構造を模式的に示す断面図である。
【図２０】本発明の実施の形態１の変形例における加熱送風装置の断面図である。
【発明を実施するための形態】
【００１５】
第１の発明は、吸入口から吐出口に至る送風流路が設けられ、外郭を構成するハウジングと、前記ハウジング内に設けられ、第１電極および第２電極を有して放電によりイオンを発生するイオン発生部と、を備えた加熱送風装置である。
【００１６】
そして、前記イオン発生部で発生されたイオンが流れるイオン流路と、前記イオン流路の下流側に設けられ、前記イオンが放出されるイオン放出口と、前記イオン放出口をカバーするとともに前記イオンが放出可能に構成されたカバーと、前記カバーの内側に設けられ、前記カバーと前記第２電極とを電気的に接続する接続部と、を備えている。
【００１７】
さらに、前記ハウジングの内壁に当接して前記第２電極の前記ハウジングに対する相対移動を規制する規制部を備えたものである。
【００１８】
これにより、組み立て時のばらつきが低減され、カバーの帯電をより確実に除電できるようになり、使用者の髪に対して、常時十分な量のイオンを供給することができる。
【００１９】
第２の発明は、特に、第１の発明の前記イオン発生部は、前記第２電極を保持する第１保持部を備えており、前記規制部が前記第１保持部に設けられているものである。
【００２０】
これにより、ハウジングに対する第２電極の位置精度が増加し、より確実にカバーの接続部を第２電極に接続することができる。
【００２１】
第３の発明は、特に、第２の発明の前記カバーは、前記ハウジングに形成された開口を覆うように当該ハウジングに取り付けられており、前記カバーを前記ハウジングに取り付けた際に、前記カバーと前記第２電極とが前記接続部によって電気的に接続されるようになっているものである。
【００２２】
さらに、前記規制部は、前記第１保持部から前記カバーの前記ハウジングへの取り付け方向と交差する方向に突出する突片であり、前記突片は、少なくとも前記カバーの前記ハウジングへの取り付け方向側の面が前記ハウジングの内壁に当接しているものである。
【００２３】
これにより、カバーのハウジングへの取り付け時にイオン発生部が位置ずれしてしまうのが抑制され、より確実にカバーの接続部を第２電極に接続することができる。
【００２４】
第４の発明は、特に、第１から第３のいずれか１つの発明の前記第２電極は、前記第１電極よりも前記イオン放出口側に配置されるとともに、当該第２電極には開口部が形成されており、前記第２電極における前記開口部の周縁部が、前記第１電極の反対側に凸となるドーム状に形状されているものである。
【００２５】
これにより、第１電極と第２電極間の電界強度が増加し、イオン以外に髪に有効な成分である酸性成分を多く発生させて、使用者の髪に供給することができる。
【００２６】
第５の発明は、第１から第４のいずれか１つの発明の前記イオン発生部は、少なくとも前記第１電極を冷却する冷却部を備え、空気中の水分を前記冷却部により冷却された前記第１電極に結露させるとともに放電により静電霧化させるように構成されており、前記イオン発生部の前記第１電極の基部側には、当該第１電極の周囲を覆うとともに前記結露された水分を保持可能な第２保持部が設けられているものである。
【００２７】
これにより、イオン発生部から発生する髪に有効な成分を増加することができるとともに、第１電極に結露した水のうちで、静電霧化に使用しない余剰な水滴を第２保持部にて保持し、加熱送風装置の使用中に大きな水滴が飛散しないようにすることができる。
【００２８】
以下、本発明の実施の形態について、図面を参照しながら説明する。なお、この実施の形態によって本発明が限定されるものではない。
【００２９】
（実施の形態１）
図１は、本発明の第１の実施形態における加熱送風装置の側面図を示すものである。
【００３０】
本実施形態にかかる加熱送風装置としてのヘアドライヤ１は、使用者が手で握る部分としての把持部１ａと、把持部１ａと交差する方向に結合された本体部１ｂとを備えている。そして、使用時には把持部１ａと本体部１ｂとで略Ｔ字状あるいは略Ｌ字状（本実施形態では略Ｔ字状）の外観を呈するように折り畳み可能に構成されている。
【００３１】
把持部１ａの突出端部からは、電源コード２が引き出されている。また、把持部１ａは、本体部１ｂ側の根元部１ｃと先端部１ｄとに分割されており、これら根元部１ｃと先端部１ｄとが、連結部１ｅを介して回動可能に連結されている。先端部１ｄは、本体部１ｂに沿う位置まで折り畳むことができるようになっている。
【００３２】
ヘアドライヤ１の外壁をなすハウジング３は、複数の分割体を継ぎ合わせて構成されている。ハウジング３の内部には空洞が形成されており、この空洞内に、各種電気部品が収容されている。
【００３３】
本体部１ｂの内部には、その長手方向（図５の左右方向）の一方側（右側）の入口開口（吸入口）４ａから出口開口（吐出口）４ｂに至る風洞（送風流路）４が形成されており、この風洞４内に収容されたファン５を回転させることによって空気流Ｗ１が形成される。すなわち、空気流Ｗ１は、外部から入口開口４ａを介して風洞４内に流入し、当該風洞４内を通って出口開口４ｂから外部に排出される。
【００３４】
入口開口（吸入口）４ａは、網目状の枠体８１で覆われており、この枠体８１の開口部８１ａの形状はハニカム形状となっている。こうすることで、桟部８１ｂの強度を均等に確保させつつ入口開口（吸入口）４ａの総開口面積を大きくとることができ、風量の増大を図ることができるようになる。
【００３５】
また、枠体８１には、図５に示すように、開口率が５５〜９０パーセント程度であって、３００〜６５０ｎｍ程度の網目幅のメッシュ８２が一体成形されている。このメッシュ８２は、例えば金属やポリエステルなどの難燃性樹脂を用いることができ、このように網目幅の細かいメッシュ８２を一体成形することで、細かい埃や毛髪などが空気流路内に入ってしまうのをより確実に抑制できるようにしている。
【００３６】
また、本体部１ｂにおいて、ハウジング３の外筒３ａの内部には、略円筒状の内筒６が設けられており、空気流Ｗ１はこの内筒６の内側を流れるようになっている。内筒６の内側では、最も上流側にファン５が配置され、その下流側にファン５を駆動するモータ７が配置され、モータ７のさらに下流側に加熱機構としてのヒータ８が配置されている。
【００３７】
ヒータ８を作動させたときには、出口開口４ｂから温風が吹き出されることになる。なお、本実施形態では、ヒータ８は、帯状かつ波板状の電気抵抗体を内筒６の内周に沿って巻回して配置したものとして構成されているが、かかる構成には限定されない。
【００３８】
そして、本体部１ｂ内で、ハウジング３と内筒６との間に形成された空洞９に、２つ（複数）の金属微粒子生成部（イオン発生部）３０，４０や、ミスト生成部（イオン発生部）５０、ミスト生成部５０に電圧を印加する電圧印加回路１２等が収容されている。また、空洞９の電圧印加回路１２が収容された部位とは別の部位には、金属微粒子生成部３０，４０に電圧を印加する電圧印加回路（図示せず）が収容されている。
【００３９】
電圧印加回路１２および金属微粒子生成部３０，４０に電圧を印加する電圧印加回路（図示せず）は、把持部１ａ内、または本体部１ｂ内で把持部１ａの延長線上となる領域に配置するのが好適である。使用者が把持部１ａを持ったときに、電圧印加回路１２および電圧印加回路（図示せず）の質量に起因する回転モーメントを小さくして、使用者の手に作用する負荷を小さくするためである。
【００４０】
また、これら電圧印加回路１２および電圧印加回路（図示せず）を、内筒６を挟んで相互に反対側となる位置に配置するのが好適である。こうすれば、電圧印加回路１２と電圧印加回路（図示せず）との相互干渉による電圧の低下や不安定化等の不具合を抑制することができる。
【００４１】
さらに、本実施形態では、空洞９の側面部分（空洞９の電圧印加回路１２が収容された部位とは別の部位）に、温風と冷風の切り換えや動作モード等を行うスイッチ部（図示せず）が収容されている。
【００４２】
また、把持部１ａの先端部１ｄ内の空洞には、電源のＯＮとＯＦＦとの切り換え等を行う別のスイッチ部１６が収容されている。これら電気部品同士は、金属導体等からなる芯線を絶縁性樹脂等で被覆したリード線１７によって接続されている。
【００４３】
なお、金属微粒子生成部３０に繋がるリード線１７、金属微粒子生成部４０に繋がるリード線１７およびミスト生成部５０に繋がるリード線１７は、相互に交叉させることなく極力離間させて配索するのが好適である。それぞれのリード線１７を流れる電流の相互干渉によって、金属微粒子生成部３０，４０あるいはミスト生成部５０で所望の電圧が得られなくなったり、電圧が不安定になったりするのを抑制するためである。
【００４４】
本実施形態では、スイッチ部１６は、ハウジング３の表面に露出した操作子１８を操作することで、内部接点の開閉状態を切り換えることができるように構成されている。本実施形態では、操作子１８を上下方向にスライドさせることで、内部接点の開閉状態を多段階に切り換えることができるようにしている。
【００４５】
具体的には、電源オフ、弱風、中風、強風の４つのモードに切り換えることが可能となっており、操作子１８を最下部に位置させた状態が電源オフとなっている。そして、操作子１８を最下部から一段階上方にスライドさせると、電源オン状態となって、弱風が送風されるようになる。さらに、操作子１８を一段階上方にスライドさせると、中風が送風され、操作子１８を最上部までスライドさせると、強風が送風されるようになっている。
【００４６】
一方、温風と冷風の切り換えや動作モード等を行うスイッチ部（図示せず）は、ハウジング３の表面に形成した操作子１９を操作する（撓ませる）ことで、内部接点の開閉状態を切り換えることができるように構成されている。そして、操作子１９の上方には、現在選択されているモードを表示する表示部１４が形成されている。
【００４７】
これらのスイッチ部や表示部１４などは、制御基板１０上のマイコンと電気的に接続されている。
【００４８】
本実施形態では、操作子１９を操作する（撓ませる）ことで、基本的に「ＨＯＴ」「温冷」「ＣＯＬＤ」「ＳＣＡＬＰ」の４つの風温モードを切り換えることができるようにしている。
【００４９】
ここで、「ＨＯＴ」とは、温風を出力するモードであって、通常の使用時に毛髪にあたる風の温度が約７０℃から８０℃となるようにしたモードである。
【００５０】
また、「温冷」とは、例えば冷風５秒、温風７秒といったように、温風と冷風を交互に出力するモードである。なお、本実施形態では、図１８に示すように、「温冷」モードの際には、矢印が表示されるとともに、温風と冷風の出力に応じて「ＨＯＴ」と「ＣＯＬＤ」が交互に表示されるようにしている。
【００５１】
また、「ＣＯＬＤ」とは、冷風を出力するモードであって、通常の使用時に毛髪にあたる風の温度が約３０℃となるようにしたモードである。
【００５２】
また、「ＳＣＡＬＰ」とは、低温風を出力するモードであって、通常の使用時に毛髪にあたる風の温度が約５０℃となるようにしたモードである。この「ＳＣＡＬＰ」モードは、主として頭皮のケアを行う際に選択されるモードである。
【００５３】
そして、操作子１８を上方にスライドさせて電源オン状態にすると、マイコンが通電され、現在の風温モードに応じた駆動信号でヒータ８が駆動されるとともに、現在の風温モードを表示するように表示部１４の風温表示が制御される。なお、操作子１８を上方にスライドさせて単に電源オン状態にした状態では、「ＨＯＴ」モードが選択されており、温風が送風される。
【００５４】
そして、操作子１９を操作するたびに、押下信号がマイコンに送られて４つの風温状態が「温冷」モード、「ＣＯＬＤ」モード、「ＳＣＡＬＰ」モード、「ＨＯＴ」モードの順に切り替わるようになっている。
【００５５】
さらに、本実施形態では、表示部１４に「ＳＫＩＮ」の文字が形成されており、弱風モードで、「ＣＯＬＤ」を選択した場合に、「ＣＯＬＤ」とともに「ＳＫＩＮ」が表示されるようにしている。
【００５６】
すなわち、弱風モードで、「ＣＯＬＤ」を選択した場合には、「ＳＫＩＮ」モードとして使用することもできるようになっている。なお、「ＳＫＩＮ」モードは、ミスト等が含まれた冷風を肌に当てることで肌の水分保湿を適度な状態となるようにする等、肌のケアを行う際に選択されるモードである。
【００５７】
このヘアドライヤ１では、図１６に示すように、風温制御のためにスイッチング素子（サイリスタ）Ｔを用いているのであるが、要冷却部材であるスイッチング素子Ｔの冷却は、ファン５駆動によって生じる冷風を利用している。また、スイッチング素子Ｔの放熱部６６に放熱板６７をビス止め固定し、コの字形状６７aに放熱板６７を延長することで、冷却効率を高めている。
【００５８】
以下、表示部１４の構成を更に詳しく説明する。
【００５９】
表示部１４は、「ＨＯＴ」、「温冷」、「ＣＯＬＤ」、「ＳＣＡＬＰ」および「ＳＫＩＮ」の５つの文字や絵柄を表示するものであり、制御基板１０上に実装されたチップ型の発光ダイオード１１と、発光ダイオード１１の光を拡散する白色乃至乳白色の拡散板１３と、透明樹脂からなる表示パネル１５とからなる。
【００６０】
表示パネル１５は、ハウジング３と別体に形成して両面接着テープでハウジング３に固定してもよいし、ハウジング３と一体に形成してもよい。表示パネル１５の裏面１５ａには、図１９に示すように、外部光を反射するハーフミラー層１５Ｂを印刷または転写により設ける。
【００６１】
また、このハーフミラー層１５Ｂの上面の発光ダイオード１１と対向する面には、発光ダイオード１１からの光を選択的に遮光する遮光層１５Ｃを印刷または塗装により設ける。“選択的に遮光する”とは、風温表示「ＨＯＴ」、「温冷」、「ＣＯＬＤ」、「ＳＣＡＬＰ」および「ＳＫＩＮ」などの文字や絵柄が表れるように、特定の領域（例えば、文字部分以外の領域）を遮光するという意味である。
【００６２】
電源オフの状態では、発光ダイオード１１が発光していないので、ヘアドライヤ１の内部が暗い。そのため、ヘアドライヤ１の外部が明るくても、外部光がハーフミラー層１５Ｂにより反射されるため、内部部品や風温表示を見えにくくすることができる。
【００６３】
電源をオンにすると、発光ダイオード１１が発光し、その光が遮光層１５Ｃとハーフミラー層１５Ｂを透過して外部に照射される。このとき、遮光層１５Ｃにより文字部分以外の領域については遮光されるので、外部には風温表示の文字が表れることになる。
【００６４】
ここで、本実施形態では、図１９に示すように、表示パネル１５の裏面１５ａに文字や絵柄に対応する溝部１５ｂを設け、当該溝部１５ｂを設けた状態で、表示パネル１５の裏面１５ａにハーフミラー層１５Ｂを印刷または転写により設けるようにした。
【００６５】
このとき、図１９に示すように、溝部１５ｂの開口側の角部１５ｃがハーフミラー層１５Ｂによって覆われるようにした。そして、ハーフミラー層１５Ｂの上面に遮光層１５Ｃを印刷または塗装により設けるようにした。このとき、溝部１５ｂの開口の全てが遮光層１５Ｃによって覆われてしまわないようにしている。すなわち、遮光層１５Ｃは、溝部１５ｂの少なくとも中央部が開口するように設けられている。
【００６６】
かかる構成とすることで、電源オフの状態では、発光ダイオード１１が発光していないので、表示部１４の表面では外光が反射されて、表示部１４の表面がミラー状の見た目となる。
【００６７】
一方、電源オンの状態で発光ダイオード１１が発光しているときは、溝部１５ｂの開口している部位から光が透過し、動作中の風温の表示のみが浮き出るようにすることができる。
【００６８】
さらに、本実施形態では、溝部１５ｂの開口側の角部１５ｃをハーフミラー層１５Ｂによって覆うようにしている。そのため、発光ダイオード１１が発光しているときに、ハーフミラー層１５Ｂによって覆われた部分に比較的暗くなる暗所（影）が形成される。その結果、浮き出る表示部分の縁が明確となり、表示部分の視認性を向上させることができるようになる。
【００６９】
なお、制御基板１０にフックによって固定される拡散板１３および発光ダイオード１１は、風温表示「ＨＯＴ」、「温冷」、「ＣＯＬＤ」、「ＳＣＡＬＰ」および「ＳＫＩＮ」に応じて分割して設けられている。そして、個々の発光ダイオード１１は、対応する表示内容によって異なる色を発光するようにしている。ただし、同色の発光ダイオード１１を発光させるようにすることも可能である。
【００７０】
また、表示部１４の印刷色は本体部１ｂの色に合わせて変更してもよい。ただし、白色やピンク色・ゴールド色等の場合、単色印刷では十分に遮光することができないため、外観用印刷色で印刷した後、遮光用として金属粉末の配合率の高いインク材料を使用しているシルバー系の印刷色にて印刷を行うとよい。
【００７１】
また、本実施形態では、表示部１４による表示を風温表示としているが、風量の表示やイオン発生の表示、フィルタ等のメンテナンスの表示でもよい。また、発光ダイオード１１での文字表示だけでなく、絵での表示や液晶パネルによる表示等でもよい。
【００７２】
内筒６は、筒状部６ａと、筒状部６ａから径方向外側に向けて伸びて周方向に分散して配置された複数の支持リブ６ｂ（図５では一箇所のみ図示）と、支持リブ６ｂを介して筒状部６ａに接続され当該筒状部６ａの軸方向と略直交する方向に張り出すフランジ部６ｃと、を有している。
【００７３】
筒状部６ａとフランジ部６ｃとの間には間隙ｇ１が形成されており、この間隙ｇ１を介して空洞９内に空気流Ｗ１の一部が分岐されて流入し、分岐流Ｗ２が形成されている。なお、分岐流Ｗ２の空洞９内への導入口となる間隙ｇ１は、ファン５の下流でありかつヒータ８の上流側となる位置に設けられている。したがって、分岐流Ｗ２は、ヒータ８によって加熱される前の、比較的冷たい空気流となる。
【００７４】
そして、分岐流Ｗ２の一部はさらに分岐されて分岐流Ｗ３となっている。この分岐流Ｗ３は、後述する金属微粒子吹出口（イオン放出口）２０ａ，２０ｂやミスト吹出口（イオン放出口）２０ｃを通過せず、内筒６とハウジング３との間を通って出口開口４ｂの外周部分から吹き出す比較的冷たい空気流となっている。
【００７５】
ハウジング３には、空洞９の出口開口４ｂ側となる位置に、楕円形の貫通孔（開口）３ｂが形成されており、この貫通孔３ｂを絶縁性の合成樹脂材料からなるカバー２０で塞いである。
【００７６】
このように、本実施形態では、カバー２０は、ハウジング３に形成された貫通孔（開口）３ｂを覆うようにして当該ハウジング３に取り付けられている。また、本実施形態では、カバー２０は、ハウジング３に対して図５の左側から右側に移動させることで、ハウジング３に取り付けられている。したがって、本実施形態では、風洞（送風流路）４の下流側から上流側への方向が、カバー２０のハウジング３への取り付け方向となっている。
【００７７】
また、カバー２０には、金属微粒子吹出口（イオン放出口）２０ａ，２０ｂとミスト吹出口（イオン放出口）２０ｃとがそれぞれ独立して形成されている。
【００７８】
なお、ミスト生成部（イオン発生部）５０および金属微粒子生成部（イオン発生部）３０，４０の前方には、イオンが流れるイオン流路４ｃが形成されることとなるため、金属微粒子吹出口（イオン放出口）２０ａ，２０ｂおよびミスト吹出口（イオン放出口）２０ｃは、イオン流路４ｃの下流側に設けられることとなる。
【００７９】
また、カバー２０は、金属微粒子あるいはミストによる帯電を抑制するため、ハウジング３よりも導電性を低くするのが好適である。カバー２０が帯電すると、その電荷によって、金属微粒子生成部３０，４０やミスト生成部５０から電荷を帯びた金属微粒子およびマイナスイオンやミストが放出されにくくなるからである。
【００８０】
カバー２０の帯電を抑制するためには、帯電を起こしにくい材料、例えば、ＰＣ（ポリカーボネート）樹脂を用いてカバー２０を形成し、カバー２０の材質を帯電を起こしにくい材質とするのが好ましい。なお、この部分では、カバー２０がヘアドライヤ１の外壁を成している。
【００８１】
また、本実施形態では、金属微粒子吹出口２０ａ，２０ｂの孔径を、ミスト吹出口２０ｃの孔径より小さくしてある。すなわち、ミスト吹出口２０ｃを介してのミスト生成部５０のメンテナンスや状態の確認等をより容易に行わせるとともに、金属微粒子吹出口２０ａ，２０ｂを介しての手指や道具等の誤進入を抑制してある。
【００８２】
また、カバー２０の内側にはリブ（突部：接続部）２１が設けられており、このリブ２１を後述するミスト生成部５０の放電対向電極（第２電極）５２に当接させることで、カバー２０の除電を行うようにしている。
【００８３】
このように、本実施形態では、カバー２０とミスト生成部（イオン発生部）５０、カバー２０と金属微粒子生成部（イオン発生部）３０，４０とで、３つのイオン生成装置１００が形成されている。
【００８４】
さらに、本実施形態では、使用者を、ミスト生成部（イオン発生部）５０で発生するイオンの電荷（本実施形態ではマイナスの電荷）の反対極に帯電させる帯電部１ｆを設けている。この帯電部１ｆは、把持部１ａの外表面に露出する導電性樹脂（導電部材）で形成されている。
【００８５】
また、本実施形態では、ミスト吹出口２０ｃの周辺部２０ｄに、金属微粒子吹出口（イオン放出口）２０ａ，２０ｂを形成している。
【００８６】
具体的には、金属微粒子吹出口２０ａと金属微粒子吹出口２０ｂとを、ミスト吹出口２０ｃが中心となるように並設している。
【００８７】
すなわち、カバー２０には、金属微粒子吹出口２０ａ、２０ｂおよびミスト吹出口２０ｃが、ヘアドライヤ１の幅方向（図３の左右方向）に、金属微粒子吹出口２０ａ、ミスト吹出口２０ｃ、金属微粒子吹出口２０ｂの順に並ぶように形成されている。
【００８８】
このような配置とすることで、マイナスに帯電しているミストが、ミスト吹出口２０ｃの周辺部２０ｄに形成された金属微粒子吹出口（イオン放出口）２０ａ、２０ｂから吹き出されるマイナスイオンによって、外側へ拡散（離散）してしまうのを抑制できるようにしている。
【００８９】
その結果、ミストの直進性が向上してミストが髪に届きやすくなり、髪ケア効果をより高めることができる。
【００９０】
さらに、ミスト吹出口２０ｃの下流側かつ下方に、ミストの吹き出し方向に延在するように壁部２０ｅを設けている。この壁部２０ｅを設けることで、ミスト吹出口２０ｃから吹き出されたミストが下方に拡散（離散）してしまうのを抑制できるようにしている。
【００９１】
また、金属微粒子生成部３０，４０およびミスト生成部５０は、空洞９内でヘアドライヤ１の幅方向（図３の左右方向）に、金属微粒子生成部３０、ミスト生成部５０、金属微粒子生成部４０の順に並列に配置されている。
【００９２】
そして、ミスト生成部５０と、当該ミスト生成部５０と隣り合う金属微粒子生成部（マイナスイオン発生部）３０、４０との間には、遮蔽板（仕切部）６ｄが設けられている。
【００９３】
そして、図６および図８に示すように、遮蔽板６ｄを、ヘアドライヤ１の上下方向およびミストの吹き出し方向（図６の左右方向）に延在するように配置することで、金属微粒子やミストが金属微粒子吹出口２０ａ、２０ｂおよびミスト吹出口２０ｃから吹き出される前に混合してしまうのを抑制している。
【００９４】
金属微粒子生成部３０，４０は、導電性を有する金属材料によって形成される放電極（第１電極）および放電対向電極（第２電極）をそれぞれ有している。
【００９５】
そして、これら放電極と放電対向電極との間に電圧印加回路（図示せず）によって高電圧（本実施形態では、−１ｋＶ〜−３ｋＶ）を印加して放電（コロナ放電等）を生じさせ、その放電作用によって放電極や放電対向電極等から金属微粒子（金属の分子やマイナスイオン等）を放出させるものである。
【００９６】
この金属微粒子生成部３０，４０は、ほぼ同一の形状に形成してもよいし、金属微粒子生成部３０，４０の形状がそれぞれ異なるようにしてもよい。
【００９７】
放電極は、極細の線材として構成することができる。そして、その幅（直径）を、１０〜４００［μｍ］（好適には３０〜３００［μｍ］、より一層好適には５０〜２００［μｍ］）に設定するのが好ましい。なお、断面形状としては、円形、楕円形、多角形形状等、各種採用することができる。
【００９８】
また、放電極は、例えば、遷移金属（例えば、金、銀、銅、白金、亜鉛、チタン、ロジウム、パラジウム、イリジウム、ルテニウム、オスミウム等）の単体、合金、あるいは遷移金属をメッキ処理した部材等として構成することができる。金属微粒子生成部３０，４０で生成され放出された金属の微粒子に、金や、銀、銅等が含まれている場合、当該金属の微粒子によって抗菌作用を生じさせることができる。
【００９９】
また、金属の微粒子に、白金、亜鉛、チタン等が含まれている場合、当該金属の微粒子によって抗酸化作用を生じさせることができる。なお、白金の微粒子は、抗酸化作用が極めて高いことが判明している。
【０１００】
また、金属微粒子生成部３０，４０は、放電作用によってイオン（例えばマイナスイオン、例えばＮＯ２−、ＮＯ３−等）を生じさせ、このイオンを、放電極や、放電対向電極、他の金属材料や金属成分を含む部材等に衝突させることで、金属微粒子を生成するものであってもよい。すなわち、放電対向電極や上記他の部材を、上記遷移金属を含む材料によって構成し、これらから金属微粒子を放出させるようにしてもよい。
【０１０１】
上記の金属微粒子生成部について発明者らが鋭意研究を重ねた結果、白金微粒子を毛髪等に供給して毛髪に抗酸化作用を付与し、毛髪等のダメージを回復させる際に、白金微粒子に加えて亜鉛微粒子を毛髪等に供給すると毛髪等のダメージをより効果的に回復できることが判明した。
【０１０２】
そこで、本実施形態では、金属微粒子生成部３０の放電極に含まれる金属を白金、金属微粒子生成部４０の放電極に含まれる金属を亜鉛とした。なお、白金を金属微粒子生成部４０の放電極に、亜鉛を金属微粒子生成部３０の放電極に含ませるようにしてもよい。
【０１０３】
ミスト生成部５０は、導電性を有する金属材料によって形成される放電極（第１電極）５１および放電対向電極（第２電極）５２を有している。そして、これら放電極５１と放電対向電極５２との間に電圧印加回路１２によって高電圧（本実施形態では、−３ｋＶ〜−５ｋＶ）を印加することで放電（コロナ放電等）を生じさせるものである。
【０１０４】
本実施形態では、放電極５１は針状に形成されており、放電対向電極５２は放電極５１の先端側に離間配置した板状の部材として形成されている。
【０１０５】
放電対向電極５２は、図１１および図１２に示すように、略板状の基体部５２ａと、基体部５２ａから突設される端子部５２ｂとを有している。
【０１０６】
基体部５２ａの略中央位置には、金属微粒子の放出口となる円形状の開口部５２ｃが形成されている。図１２に示すように、正面視では、放電極５１は、開口部５２ｃのほぼ中心に配置される。一方、端子部５２ｂには、リード線１７を挿通して結線するための貫通孔５２ｄが穿設されている。
【０１０７】
また、ミスト生成部５０として、放電極５１を冷却するための冷却部５３と、当該冷却部５３によって放電極５１を冷却する際に発生する熱を放熱する放熱フィン５４と、を備える静電霧化装置を用いている。
【０１０８】
具体的には、ミスト生成部５０は、冷却部５３としてのペルチェ素子５３ａおよび熱伝導性を有する部材（例えば金属部材等）からなる冷却板５３ｂとを含んでおり、ペルチェ素子５３ａによって冷却された冷却板５３ｂの表面に空気中の水分を結露させ、結露水を生じるようになっている。
【０１０９】
そして、ミスト生成部５０の上流側には、冷却板５３ｂを冷却する際に発生する熱を放熱する放熱フィン５４が設けられている。かかる構成では、供給された水、すなわち結露水が、放電作用によって微粒化され、ナノメータサイズの非常に細かいミスト（マイナスイオンを含むマイナスに帯電されたミスト）が生成される。
【０１１０】
また、金属微粒子生成部３０，４０およびミスト生成部５０は、内筒６の上壁６ｆから突設された固定リブ（固定部材）６ｇに載置することで、金属微粒子生成部３０，４０およびミスト生成部５０が内筒６の上方に固定されている。ミスト生成部５０は、放熱フィン５４の下部に取付板５５が設けられており、この取付板５５を固定リブ（固定部材）６ｇに取り付けることで、内筒６の上方に固定されている。
【０１１１】
なお、固定リブ６ｇの形状や突出位置を様々に設定することで、空洞（分岐流路）９を流れる風の風向や風量を所望の量とすることが可能である。すなわち、固定リブ６ｇは、空洞（分岐流路）９を流れる風の風向や風量を制御する制御手段として利用することができる。
【０１１２】
そして、放電対向電極（第２電極）５２とリブ（突部：接続部）２１とを、前後方向（カバー２０とミスト生成部５０との組付方向）と交差する方向で対向する面で接触させている。
【０１１３】
具体的には、放電対向電極（第２電極）５２は、前後方向（カバー２０とミスト生成部５０との組付方向）前方に面する前面５２ｇと、ヘアドライヤ１の幅方向（カバー２０とイオン発生部５０との組付方向と交差する方向）外側に面する側面５２ｈとを備えている。そして、放電対向電極（第２電極）５２の側面５２ｈにリブ２１を面接触させている。
【０１１４】
さらに、本実施形態では、リブ２１は、放電対向電極（第２電極）５２の前面５２ｇにも面接触している。
【０１１５】
具体的には、リブ２１は、カバー２０の裏面の４箇所に突設されており、２つのリブ２１が、放電対向電極（第２電極）５２の基体部５２ａの外周で、放電対向電極（第２電極）５２の前面５２ｇおよび側面５２ｈに接触するようにしている。
【０１１６】
なお、４つのリブ２１には、先端側に放電対向電極（第２電極）５２の挿入をガイドするガイド斜面２１ａが形成されており、ガイド斜面２１ａに連設するように横側当接面２１ｂが形成されている。そして、横側当接面２１ｂに連設するように前側当接面２１ｃが形成されている。
【０１１７】
また、４つのリブ２１は、２つのリブ２１が互いに対向するように、９０度ずつずらした位置に設けられている。このとき、４つのリブ２１は、互いに対向するリブ２１のガイド斜面２１ａ同士、横側当接面２１ｂ同士が対向するように設けられている。そして、互いに対向するガイド斜面２１ａは、先端（後方）に向かうにつれて幅広のテーパ状となるように形成されている。
【０１１８】
そして、互いに対向する横側当接面２１ｂの幅が、放電対向電極（第２電極）５２の基体部５２ａの径よりも若干幅狭となるようにすることで、放電対向電極（第２電極）５２が互いに対向するリブ２１によって狭持されるようにするのが好適である。
【０１１９】
さらに、本実施形態では、ミスト生成部（イオン発生部）５０は、放電極（第１電極）５１と放電対向電極（第２電極）５２との位置を規制する固定用リブ５６を複数備えている。
【０１２０】
具体的には、３つの固定用リブ５６が９０度ずつずらした位置に設けられている。
【０１２１】
また、放電対向電極（第２電極）５２の基体部５２ａの外周の３箇所には貫通孔５２ｆが形成されており、この貫通孔５２ｆに固定用リブ５６をそれぞれ挿入することで、放電極（第１電極）５１と放電対向電極（第２電極）５２との位置を規制している。
【０１２２】
このとき、固定用リブ５６とリブ２１とが接触しないようにするのが好適である。
【０１２３】
また、本実施形態では、ミスト生成部５０は、保持部５７を備えており、放電極５１および放電対向電極５２が保持部５７によって保持されている。
【０１２４】
放電極５１は、保持部５７に形成された挿入孔５７ａに基部５１ａを挿入することで保持部５７に保持されている。
【０１２５】
一方、放電対向電極５２は、放電極５１側の面（後面）５２ｉを保持部５７の座面５７ｂに突き当てることで、保持部５７に保持されている。なお、保持部５７の前方上部には、前方（上流側）に突出する壁部５７ｃが形成されており、この壁部５７ｃは、図１２に示すように、正面視で、湾曲した輪郭形状をしている。
【０１２６】
そして、放電対向電極５２の上部５２ｊを、壁部５７ｃの湾曲形状と対応させた形状とし、放電対向電極５２の上部５２ｊが壁部５７ｃの湾曲部分に収容されるようにしている。こうして、放電対向電極５２の保持部５７に対する位置ずれが抑制されるようにしている。
【０１２７】
また、保持部５７には、筒状部５７ｄが設けられており、筒状部５７ｄの挿通孔５７ｅに放電極５１の基部５１ａが挿入されている。
【０１２８】
ここで、本実施形態では、ハウジング３の内壁３ｃに当接して放電対向電極（第２電極）５２のハウジング３に対する相対移動を規制する規制部６０を設け、組み立て時のばらつき等によりイオン発生部５０が傾いて取り付けられてしまうのを抑制できるようにした。
【０１２９】
具体的には、イオン発生部５０に設けられた保持部（第１保持部）５７に規制部６０を設けるようにした。
【０１３０】
本実施形態では、保持部（第１保持部）５７から上方（カバー２０のハウジング３への取り付け方向と交差する方向）に突出する突片５７ｆを設けている。
【０１３１】
そして、突片５７ｆの後面（少なくともカバー２０のハウジング３への取り付け方向側の面）５７ｇをハウジング３の内壁３ｃに下方に突出するように形成された突部３ｄの前面３ｅに当接させることで、放電対向電極（第２電極）５２がハウジング３に対して後方に相対移動してしまうのを規制するようにした。
【０１３２】
このように、本実施形態では、放電対向電極（第２電極）５２を保持する保持部（第１保持部）５７が放電対向電極（第２電極）５２のハウジング３に対する相対移動を規制する規制部６０を兼ねるようにした。
【０１３３】
なお、規制部６０としての突片５７ｆをハウジング３の内壁３ｃに挟持させることで、放電対向電極（第２電極）５２をハウジング３に対して固定するようにしてもよい。こうすれば、より確実に、放電対向電極（第２電極）５２のハウジング３に対する位置ずれを抑制することができるようになる。
【０１３４】
また、本実施形態では、放電対向電極（第２電極）５２が放電極（第１電極）５１よりもミスト吹出口（イオン放出口）２０ｃ側に配置されており、この放電対向電極（第２電極）５２には開口部５２ｃが形成されている。なお、開口部５２ｃは、中央部に設ける必要はなく、正面視で放電極（第１電極）５１の先端５１ｂからずれた位置に形成されていてもよく、また傾いた形状であってもよい。
【０１３５】
また、放電対向電極（第２電極）５２の開口部５２ｃの面積は、髪の静電気を抑制するための電荷を発生するために７ｍｍ２以上とすることが望ましい。本実施形態では、口径４ｍｍの開口部５２ｃを形成している。
【０１３６】
そして、放電対向電極（第２電極）５２における開口部５２ｃの周縁部５２ｋが、放電極（第１電極）５１の反対側に凸となるドーム状に形状されている。この周縁部５２ｋは、例えば、厚さ０．５ｍｍの薄板に開口を設け、当該開口部の周縁を一方側に曲げ加工することにより形成することができる。
【０１３７】
さらに、本実施形態では、図１４に示すように、放電極（第１電極）５１の先端５１ｂに付着した水滴の先端Ａからの距離が略同一（本実施形態では、２．２５ｍｍ）となるように、周縁部５２ｋの放電極（第１電極）５１側の面５２ｌを形成している。
【０１３８】
また、イオン発生部５０の放電極（第１電極）５１の基部５１ａ側には、放電極（第１電極）５１の周囲を覆うとともに結露された水分を保持可能な第２保持部としての筒状部５７ｄが設けられている。
【０１３９】
このとき、筒状部５７ｄの内面から放電極（第１電極）５１までの距離が０．１ｍｍから０．５ｍｍ程度とするのが好ましい。こうすれば、表面張力が働き、結露した水の保持能力を高くすることができる。
【０１４０】
なお、筒状部５７ｄは保持部５７とは別体に形成してもよい。また、本実施形態では、筒状部５７ｄの形状を円筒状としているが、三角形や四角形、複数の溝を有した形状とすることも可能である。
【０１４１】
以上、説明したように、本実施形態では、ヘアドライヤ１は、入口開口（吸入口）４ａから出口開口（吐出口）４ｂに至る風洞（送風流路）４が設けられ、外郭を構成するハウジング３を備えている。そして、ハウジング３内には、放電極（第１電極）５１および放電対向電極（第２電極）５２を有して放電によりイオンを発生するイオン発生部５０を備えている。
【０１４２】
そして、イオン発生部５０で発生されたイオンが流れるイオン流路４ｃと、イオン流路４ｃの下流側に設けられ、イオンが放出されるミスト吹出口（イオン放出口）２０ｃと、ミスト吹出口（イオン放出口）２０ｃをカバーするとともにイオンが放出可能に構成されたカバー２０と、カバー２０の内側に設けられ、カバー２０と放電対向電極（第２電極）５２とを電気的に接続するリブ（接続部）２１と、を備えている。
【０１４３】
さらに、ヘアドライヤ１は、ハウジング３の内壁３ｃに当接して放電対向電極（第２電極）５２のハウジング３に対する相対移動を規制する規制部６０を備えたものである。
【０１４４】
これにより、組み立て時のばらつきが低減され、カバー２０の帯電をより確実に除電できるようになり、使用者の髪に対して、常時十分な量のイオンを供給することができる。
【０１４５】
また、本実施形態では、放電対向電極（第２電極）５２を保持する保持部（第１保持部）５７を備えており、規制部６０が保持部（第１保持部）５７に設けられている。
【０１４６】
これにより、ハウジング３に対する放電対向電極（第２電極）５２の位置精度が増加し、より確実にカバー２０のリブ（接続部）２１を放電対向電極（第２電極）５２に接続することができる。
【０１４７】
また、カバー２０は、ハウジング３に形成された開口３ｂを覆うように当該ハウジング３に取り付けられており、カバー２０をハウジング３に取り付けた際に、カバー２０と放電対向電極（第２電極）５２とがリブ（接続部）２１によって電気的に接続されるようになっている。
【０１４８】
さらに、保持部（第１保持部）５７からカバー２０のハウジング３への取り付け方向と交差する方向に突出する突片５７ｆを規制部６０とし、突片５７ｆの少なくともカバー２０のハウジング３への取り付け方向側の面５７ｇがハウジング３の内壁３ｃに下方に突出するように形成された突部３ｄの前面３ｅに当接させている。
【０１４９】
これにより、カバー２０のハウジング３への取り付け時にイオン発生部５０が位置ずれしてしまうのが抑制され、より確実にカバー２０のリブ（接続部）２１を放電対向電極（第２電極）５２に接続することができる。
【０１５０】
また、放電対向電極（第２電極）５２は、放電極（第１電極）５１よりも下流側（イオン放出口側）に配置されるとともに、当該放電対向電極（第２電極）５２には開口部５２ｃが形成されている。そして、放電対向電極（第２電極）５２における開口部５２ｃの周縁部５２ｋが、放電極（第１電極）５１の反対側に凸となるドーム状に形状されている。
【０１５１】
これにより、放電極（第１電極）５１と放電対向電極（第２電極）５２間の電界強度が増加し、イオン以外に髪に有効な成分である酸性成分を多く発生させて、使用者の髪に供給することができる。
【０１５２】
また、イオン発生部５０は、少なくとも放電極（第１電極）５１を冷却する冷却部５３を備え、空気中の水分を冷却部５３により冷却された放電極（第１電極）５１に結露させるとともに放電により静電霧化させるように構成されている。そして、イオン発生部５０の放電極（第１電極）５１の基部５１ａ側には、当該放電極（第１電極）５１の周囲を覆うとともに結露された水分を保持可能な筒状部（第２保持部）５７ｄが設けられている。
【０１５３】
これにより、イオン発生部５０から発生する髪に有効な成分を増加することができるとともに、放電極（第１電極）５１に結露した水のうちで、静電霧化に使用しない余剰な水滴を筒状部（第２保持部）５７ｄにて保持し、ヘアドライヤ１の使用中に大きな水滴が飛散しないようにすることができる。このことは、特に、スキンケアを行う場合に有効である。
【０１５４】
以上、本発明の好適な実施形態について説明したが、本発明は上記実施形態には限定されず、種々の変形が可能である。
【０１５５】
例えば、図２０に示すように、加熱送風装置としてのブラシ付きヘアドライヤ１Ａに本発明を適用することも可能である。ブラシ付きヘアドライヤ１Ａは、電源をオンすることで、ハウジング３を構成するブラシ部３ｆの吐出口４ｂから冷風や温風などの風が吹き出されるようになっている。
【０１５６】
そして、吹き出された風がブラシ部３ｆの内部を通過してブラシ３ｇの形成面から吹き出し、ブラシ３ｇで毛髪を梳かしつつ風を当てることができるようにしたものである。このブラシ付きヘアドライヤ１Ａのハウジング３内にもイオン発生部５０が設けられており、ミストなどのイオンを供給することができるようになっている。
【０１５７】
また、上記各実施形態では、イオン発生部として、金属微粒子およびマイナスイオンを生成する金属微粒子生成部を例示したが、金属微粒子は生成せず、単にマイナスイオンを生成するものを用いてもよい。
【０１５８】
また、プラスイオンを生成するイオン生成装置にあっても、本発明を適用することができる。このように、プラスイオンを生成すると、ウィッグなどの人工毛をつけた毛髪に使用する場合に有効である。ウィッグなどの人工毛はマイナスに帯電しやすいので、プラスイオンを供給することで、静電気が生じてしまうのを抑制することができるためである。
【０１５９】
また、上記各実施形態では、ミスト生成部およびマイナスイオン発生部として放電極（第１電極）と対向する放電対向電極（第２電極）を有するものを例示したが、第２電極を放電極（第１電極）と対向しない位置に設けたものを用いてもよい。
【０１６０】
また、上記各実施形態では、金属微粒子吹出口（イオン放出口）を２つ形成したものを例示したが、金属微粒子吹出口（イオン放出口）を３つ以上形成することも可能である。
【０１６１】
また、上記実施形態では、分岐流によって、金属微粒子およびミストを吹き出すようにしたものを例示したが、分岐流がない場合でも、金属微粒子およびミストを対応する吹出口から吹き出すことができる。
【０１６２】
また、カバーやハウジング、その他細部のスペック（形状、大きさ、レイアウト等）も適宜に変更可能である。
【産業上の利用可能性】
【０１６３】
以上のように、本発明にかかる加熱送風装置は、カバーの帯電を安定して除去することができるとともに、髪にしっとり感を与えるなどの効果のある成分や微小なミストを安定して多く発生することが可能となるので、頭皮や顔、身体などの水分付与等の用途にも適用できる。
【符号の説明】
【０１６４】
１  ヘアドライヤ（加熱送風装置）
１Ａ  ブラシ付きヘアドライヤ
３  ハウジング
４  風洞（送風流路）
４ａ  入口開口（吸入口）
４ｂ  出口開口（吐出口）
４ｃ  イオン流路
２０  カバー
２０ｃ  ミスト吹出口（イオン放出口）
２１  リブ（接続部）
５０  ミスト生成部（イオン発生部）
５１  放電極（第１電極）
５１ａ  基部
５２  放電対向電極（第２電極）
５２ｃ  開口部
５２ｋ  周縁部
５７  固保持部（第１保持部）
５７ｄ  筒状部（第２保持部）
５７ｆ  突片（規制部）
６０  規制部
【図１】
2014108120.tif 000003
【図２】
2014108120.tif 000004
【図３】
2014108120.tif 000005
【図４】
2014108120.tif 000006
【図５】
2014108120.tif 000007
【図６】
2014108120.tif 000008
【図７】
2014108120.tif 000009
【図８】
2014108120.tif 000010
【図９】
2014108120.tif 000011
【図１０】
2014108120.tif 000012
【図１１】
2014108120.tif 000013
【図１２】
2014108120.tif 000014
【図１３】
2014108120.tif 000015
【図１４】
2014108120.tif 000016
【図１５】
2014108120.tif 000017
【図１６】
2014108120.tif 000018
【図１７】
2014108120.tif 000019
【図１８】
2014108120.tif 000020
【図１９】
2014108120.tif 000021
【図２０】
2014108120.tif 000022